(57)【特許請求の範囲】
【請求項１】
ネットワークを介して、投票券毎に投票券の購入内容に係るアクセスを受け付ける受付管理手段と、
該アクセスに応じて宛先を登録者情報として登録するとともに、投票券の購入内容を示す購入内容情報を前記登録者情報に対応付けて登録する登録管理手段と、
当該投票券について当せん投票券が確定した際に登録される当たり情報と前記購入内容情報とに基づいて投票券の当せんの照合・判定を行って判定結果を得る照合管理手段と、
前記登録者情報で示される宛先に前記判定結果を送る送信管理手段と、
各種投票券に係る販売状況を示す販売履歴情報を記憶する記憶手段とを備え、
前記登録管理手段は、前記購入内容情報の登録を行うに当たって、前記アクセスに応じて入力される少なくとも１つの文字をキーとして前記販売履歴情報を検索して、当該キーを含む販売履歴情報を選択肢として表示する選択肢画面を前記送信管理手段を介してネットワーク上に送信することを特徴とする当せん照合結果通知装置。
【請求項２】
コンピュータに、
ネットワークを介して投票券毎に投票券の購入内容に係るアクセスを受け付ける受付管理ステップと、
該アクセスに応じて宛先を登録者情報として登録するとともに、投票券の購入内容を示す購入内容情報を前記登録者情報に対応付けて登録する登録管理ステップと、
当該投票券について当せん投票券が確定した際に登録される当たり情報と前記購入内容情報とに基づいて投票券の当せんの照合・判定を行って判定結果を得る照合管理ステップと、
前記登録者情報で示される宛先に前記判定結果を送る送信管理ステップとを実行させるための当せん照合結果通知プログラムであって、
前記登録管理ステップは、前記購入内容情報の登録を行うに当たって、前記アクセスに応じて入力される少なくとも１つの文字をキーとして各種投票券に係る販売状況を示す販売履歴情報を検索して、当該キーを含む販売履歴情報を選択肢として表示する選択肢画面をネットワーク上に送信することを特徴とする当せん照合結果通知プログラム。
【発明の詳細な説明】
【技術分野】
【０００１】
本発明は、投票券購入後に投票券購入者の要望に応じて、投票券の当せんの照合・判定を行って、投票券購入者に判定結果を通知する当せん照合結果通知装置及びそのプログラムに関するものである。
【背景技術】
【０００２】
一般に、各種投票券（例えば、馬券やくじなど）においては、投票券購入者の中から予め規定された手法に応じて当せん者（当たり・ハズレ）を決定し、当せん者について当せん金を支払うようにしている。そして、投票券を購入する際には、例えば、投票券購入希望者が、投票券販売所（店頭）において、投票券を購入し、後日購入した投票券が当せんすると、投票券販売所又は当せん金引き換え窓口において当せん投票券を提示して当せん金を受け取るようにしている。
【０００３】
一方、予めユーザ登録を行い、登録ユーザがインターネット等のネットワークを経由して投票券を購入することが行われている。そして、登録ユーザが投票券を購入した際には、購入した投票券の内容（どのような投票券を購入したか：購入内容）がサーバ等に購入リストとして蓄積され、後日当せん投票券が決定すると、購入リスト及びユーザ登録に応じて当せんしたか否かの通知をサーバから登録ユーザに知らせるようにすることが行われている。
【０００４】
さらに、デビットカードを用いて投票券の投票及び当せん金の振り込みを行う方法が知られており、ここでは、投票券の投票データとデビットカードの決済関係データとを投票受付端末装置からホストコンピュータに送出して、ホストコンピュータでは投票データと決済関係データとに対応付けてＩＤデータを付与する。そして、投票データをホストコンピュータに記憶して、決済関係データは、口座取引処理システムに送出され、口座取引処理システムにおいて投票券代金が引き落されて、決済確認データが口座取引処理システムからホストコンピュータにＩＤデータとともに返送される。
【０００５】
そして、ホストコンピュータでは投票データと取引口座特定データとをＩＤデータによって対応付けして、投票登録データファイルを生成し、当せんデータと投票登録データファイルとを照合して特定した当せん者の口座に当せん金を振り込むようにしたものがある（特許文献１参照）。
【特許文献１】特開２００２−１５３４８号公報（第５頁〜第１０頁、第１図及び第２図）
【発明の開示】
【発明が解決しようとする課題】
【０００６】
前述のように、投票券購入者が当せんしたか否かの通知を受信したい場合には、予めユーザ登録を行ってネットワーク経由で投票券を購入する必要があり、ユーザ登録を行うことなく、投票券販売所で投票券を購入した際には、当該投票券購入者は当せんしたか否かの通知を受けることはできず、つまり、サーバから投票券購入者に対して当せんしたか否かの通知が行われることがなく、投票券購入者は別途店頭又は新聞等で当落を確認する必要があり、投票券購入者は当落の確認を怠らないように常に意識しなければならない。特に、投票券購入者が複数種類の投票券を連続して購入した際には、当落の確認を忘却してしまう恐れが極めて高いという不都合を生じてしまう。
【０００７】
また、上述の投票券の投票・当せん金振込み方法においては、投票券の投票（投票券の販売）、投票者（つまり、購入者）毎に投票データ（販売内容）を記憶して投票登録データファイルを生成し、当せんデータと投票登録データファイルとの照合結果に応じて当せん者の口座に当せん金を振り込むようにしているものの、予め会員登録（ユーザ登録）を行う必要がある。つまり、登録希望者は、投票予約端末装置の設置施設において、投票予約端末装置から氏名、生年月日、連絡先電話番号、性別等の個人管理データを入力するとともに、デビットカードの取引口座特定データと暗証番号とを入力する必要がある。
【０００８】
そして、投票券を購入する際には、例えば、会員登録済みの購入者が投票券販売店に赴いて、購入を希望する投票券の投票内容（投票データ）を記載したマークシートを投票受付端末装置に読み取らせ、購入者はデビットカードに記憶された取引口座特定データを投票受付端末装置に読み取らせるとともに、暗証番号を入力する必要がある。
【０００９】
言い換えると、上述の投票券の投票・当せん金振込み方法では、予め会員登録を投票予約端末装置で行うとともに、投票券購入の際には（つまり、投票券販売の際には）、投票データとともに購入者毎に再度取引口座特定データ及び暗証番号を入力する必要があり、予め会員登録を行い、さらに再度取引口座特定データ及び暗証番号を入力しなければ投票券の購入ができないという課題がある。
【００１０】
つまり、投票券を販売する都度（購入する都度）、購入者毎にその投票券に係る販売内容及び個人情報を記憶しておかないと（ユーザ登録しておかないと）、当せん投票券の判定を行ってその判定結果を購入者に通知することができず、特に、馬券等のように投票券購入希望者が投票券販売所において投票券を購入した際には、ユーザ登録等を行わないのであるから当せん投票券の判定結果を購入者に通知することができないという課題がある。
【００１１】
上述の課題を解決するため、本発明の目的は投票券購入者が投票券販売所（店頭）で投票券を購入した際においても、確実に当せん結果の通知を受けることのできる当せん照合結果通知装置及びそのプログラムを提供することにある。
【課題を解決するための手段】
【００１２】
本発明は、ネットワークを介して、投票券毎に投票券の購入内容に係るアクセスを受け付ける受付管理手段と、該アクセスに応じて宛先を登録者情報として登録するとともに、投票券の購入内容を示す購入内容情報を前記登録者情報に対応付けて登録する登録管理手段と、当該投票券について当せん投票券が確定した際に登録される当たり情報と前記購入内容情報とに基づいて投票券の当せんの照合・判定を行って判定結果を得る照合管理手段と、前記登録者情報で示される宛先に前記判定結果を送る送信管理手段と、各種投票券に係る販売状況を示す販売履歴情報を記憶する記憶手段とを備え、前記登録管理手段は、前記購入内容情報の登録を行うに当たって、前記アクセスに応じて入力される少なくとも１つの文字をキーとして前記販売履歴情報を検索して、当該キーを含む販売履歴情報を選択肢として表示する選択肢画面を前記送信管理手段を介してネットワーク上に送信することを特徴とする当せん照合結果通知装置である。
【００１５】
また本発明は、コンピュータに、ネットワークを介して投票券毎に投票券の購入内容に係るアクセスを受け付ける受付管理ステップと、該アクセスに応じて宛先を登録者情報として登録するとともに、投票券の購入内容を示す購入内容情報を前記登録者情報に対応付けて登録する登録管理ステップと、当該投票券について当せん投票券が確定した際に登録される当たり情報と前記購入内容情報とに基づいて投票券の当せんの照合・判定を行って判定結果を得る照合管理ステップと、前記登録者情報で示される宛先に前記判定結果を送る送信管理ステップとを実行させるための当せん照合結果通知プログラムであって、前記登録管理ステップは、前記購入内容情報の登録を行うに当たって、前記アクセスに応じて入力される少なくとも１つの文字をキーとして各種投票券に係る販売状況を示す販売履歴情報を検索して、当該キーを含む販売履歴情報を選択肢として表示する選択肢画面をネットワーク上に送信することを特徴とする当せん照合結果通知プログラムである。
【発明の効果】
【００１６】
以上のように、本発明では、ネットワークを介して投票券毎に投票券の購入内容に係るアクセスを受け付けた際に、宛先を登録者情報として登録するとともに投票券の購入内容を示す購入内容情報を登録者情報に対応付けて登録して、当該投票券について当せん投票券が確定した際に登録される当たり情報と購入内容情報とに基づいて投票券の当せんの照合・判定を行って判定結果を得、登録者情報で示される宛先に判定結果を送るようにしたので、投票券購入者が投票券販売所（店頭）で投票券を購入した際においても、当せん投票券と投票券購入者が購入した投票券との照合を容易に行うことができ、しかも当せん・非当せんに拘らず、その判定結果の通知を確実に受けることができるという効果がある。
【００１７】
さらに、投票券販売の際には投票券購入者毎の投票券購入内容情報及び個人情報等を記憶する必要がなく、投票券購入者において、例えば、パソコン等の端末装置を用いて購入内容及び宛先を登録するようにすれば、当せん投票券との照合が自動的に行われて、その判定結果を受けることができるため、投票券購入者が購入した投票券と当せん投票券との照合を忘却するという不都合を防止することができるという効果がある。
【００１８】
また、購入内容情報を登録する際、販売履歴情報を参照して購入情報をチェックして誤りがなければ（つまり、一致する販売履歴情報があれば）、当該購入情報を登録するようにしたので、ユーザによる購入内容の入力ミスを防止することができるという効果がある。
【００１９】
そして、購入内容情報の登録を行うに当たって、アクセスに応じて入力される少なくとも１つの文字をキーとして販売履歴情報を検索して、当該キーを含む販売履歴情報を選択肢として表示するようにすれば、ユーザによる購入内容の入力ミスを防止することができるばかりでなく、選択肢を参照するので購入者が入力すべき購入内容情報を簡略化することができて、入力負荷を低減できるという効果がある。
【発明を実施するための最良の形態】
【００２０】
次に図面を参照して本発明の実施の形態について説明する。図１は本発明による当せん照合結果通知装置の構成を説明するためのブロック図であり、図１において、当せん照合結果通知装置１０は、例えば、コンピュータシステムであり、このコンピュータシステムは、ネットワーク（例えば、インターネット）１１に接続されている。一方、ネットワーク１１には複数の端末装置１２が接続されており、各端末装置１２は後述するようにしてコンピュータシステムにアクセスすることができる。なお、図示の例では、説明の便宜上１つの端末装置１２のみが示されている。
【００２１】
当せん照合結果通知装置１０は、受付管理部２１、登録管理部２２、送信管理部２３、照合管理部２４、及びデータベース（ＤＢ）２５を備えており、これら受付管理部２１、登録管理部２２、送信管理部２３、照合管理部２４、及びＤＢ２５はバス２６で相互に接続されている。図示の例では、受付管理部２１では端末装置１２からのアクセスを受け付け、登録管理部２２では後述する登録者に係る情報（登録者情報）を管理するとともに、購入内容（投票券の種類及び購入数等）の登録を管理する。
【００２２】
また、照合管理部２４では投票券の当せん（当たり・ハズレ）の照合・判定を管理し、送信管理部２３は判定結果についての送信を管理する。そして、ＤＢ２５には購入内容に係る情報（購入内容情報）、各種投票券の販売状況に係る情報（販売履歴情報）、及び当せん情報（当たり情報）が記憶される。
【００２３】
ここで、図２も参照して、いま、投票券購入希望者は、例えば、投票券（例えば、馬券やくじ）を販売窓口（投票券販売所）で投票券を購入したものとする（この投票券販売窓口では、つまり、馬券を購入した際には購入者の登録等は行われない）。
【００２４】
後日、投票券購入者が購入した投票券について当せん結果（当たり・ハズレ、つまり、馬券であれば当該馬券の配当金）の通知を受けたい場合には、投票券購入者は、端末装置（例えば、パソコン）１２からネットワークを介して当せん照合結果通知装置（以下単にホストと呼ぶ）１０にアクセスすると、つまり、投票券販売主催者のＵＲＬにアクセスすると、受付管理部２１でこのアクセスが受け付けられて（ステップＳ１）、パソコン１２の画面上には投票券購入者登録画面が表示される。
【００２５】
投票券購入者は投票券購入者登録画面に従って、例えば、メールアドレス又はファックス番号等の宛先を登録者情報として入力する（ステップＳ２）。これによって、登録管理部２２はＤＢ２５に登録者情報を格納する（ステップＳ３）。
【００２６】
登録者情報をＤＢ２５に格納（登録）した後、登録管理部２２では投票券購入者が購入した投票券の内容（購入内容）を入力する投票券購入内容入力画面をパソコン１２の画面上に表示する（ステップＳ４）。投票券購入者は投票券購入内容入力画面に従って購入した投票券の内容を入力する。つまり、購入内容を入力する（ステップＳ５）。これによって、登録管理部２２では登録者情報に対応付けて購入内容を購入内容情報としてＤＢ２５に格納する（ステップＳ６）。
【００２７】
購入内容をＤＢ２５に登録する際、登録管理部２２では、前述の投票券の販売履歴情報を参照して、購入内容に誤りがないか否かを判定し（つまり、購入内容と一致する販売履歴情報が存在するか否かを判定して）、誤りがなければ購入内容情報を登録者情報に対応付けてＤＢ２５に格納する。一方、購入内容に誤りがあると、その旨パソコン１２の画面上に表示する。
【００２８】
その後、投票券について抽選等が行われて、当せん投票券が確定すると（つまり、馬券であればレースが行われて勝ち馬等が確定すると）、当せん投票券に係る当せん情報が図示しない入力装置からホスト１０に入力されて（馬券であれば、競馬主催者のコンピュータからホスト１０に勝ち馬に関する情報がネットワーク１１を介して入力される）、ＤＢ２５に投票券毎に当たり情報として記憶される（ステップＳ７）。当たり情報がＤＢ２５に登録されると、当該投票券について当せん者の照合が行われる。
【００２９】
照合管理部２４ではＤＢ２５に登録された当たり情報と購入内容情報とを照合して、各購入内容情報で示される投票券について当せんしたか否かの判定を行う（ステップＳ８）。全ての投票券について当せんの可否を判定すると（ステップＳ９）、照合管理部２４は当せんに係る購入内容情報に対応する登録者情報をＤＢ２５から読み出して当せん登録者情報とし、一方、非当せん（ハズレ）に係る購入者情報をＤＢ２５から読み出して非当せん登録者情報とする（ステップＳ１０）。そして、照合管理部２４は当せん登録者情報及び非当せん登録情報を送信管理部２３に渡す。
【００３０】
送信管理部２３では当せん登録者情報で示されるメールアドレス等（宛先）に当せん通知を行うとともに、非当せん登録者情報で示されるメールアドレス等に非当せん通知（ハズレ通知）を行う（ステップＳ１１）。つまり、送信管理部２３は判定結果を各登録者に通知することになる。
【００３１】
上述の例では、コンピュータシステムが受付管理部２１、登録管理部２２、送信管理部２３、及び照合管理部２４を備えて、登録者情報の登録、購入内容情報の登録、当せん判定、及び判定結果通知を行うようにしたが、これら受付管理部２１、登録管理部２２、送信管理部２３、及び照合管理部２４はコンピュータシステム上で動作するプログラムでもよい。
【００３２】
このようにして、投票券購入者がホスト１０にアクセスして、宛先を登録者情報として登録するとともに、投票券の購入内容を登録するようにすれば、投票券購入者は投票券が当せんしたか否かの照合を忘却することがない。しかも投票券購入後に必要に応じて登録を行うようにすればよい。
【００３３】
しかも、購入内容情報を登録する際には、当該投票券の販売情報を参照して購入内容に誤りがあるか否かをチェックするようにしているので、実在しない投票券に係る購入内容情報が誤って登録されることがなく、不正な登録を防止することができる。
【００３４】
ところで、購入内容情報の登録を行うに当たって、投票券購入者が端末装置１２から投票券の購入内容に関する文字を入力すると、登録管理部２２がこの文字をキーとしてＤＢ２５中の販売履歴情報を検索し、当該キーを含む販売履歴情報を選択肢として表示する選択肢画面を、送信管理部２３を介してネットワーク上に送信して、端末装置１２上に表示させるようにしてもよい。
【００３５】
このようにすれば、投票券購入者は購入内容の全てを入力する必要がなく、選択肢から自分自身が購入した投票券の購入内容を選択すれば、登録管理部２２でその選択を認識して該当する購入内容を登録者情報に対応付けて購入内容情報としてＤＢ２５に格納することになり、投票券購入者の入力支援及び入力負荷を低減することができる。
【００３６】
なお、上述の例では、投票券として馬券を例に挙げたが、馬券ばかりでなく、例えば、ＴＯＴＯ（サッカーくじ）、競輪、競艇、及び宝くじ等の結果を通知する際にも、本発明を適用することができる。
【産業上の利用可能性】
【００３７】
ネットワークを介して投票券毎に投票券の購入内容に係るアクセスを受け付けた際に、宛先を登録者情報として登録するとともに投票券の購入内容を示す購入内容情報を登録者情報に対応付けて登録して、当該投票券について当せん投票券が確定した際に登録される当たり情報と購入内容情報とに基づいて投票券の当せんの照合・判定を行って判定結果を得、登録者情報で示される宛先に判定結果を送るようにしたから、投票券購入者が投票券販売所で投票券を購入した際においても、当せん投票券と投票券購入者が購入した投票券との照合を容易に行うことができて、しかも当せん・非当せんに拘らず、その判定結果の通知を受けることができる結果、購入後の各種投票券の当せん・非当せん通知に適用できる。
【図面の簡単な説明】
【００３８】
【図１】本発明の実施の形態による当せん照合結果通知装置の一例を端末装置とともに示すブロック図である。
【図２】図１に示す当せん照合結果通知装置の動作を説明するためのフローチャートである。
【符号の説明】
【００３９】
１０  当せん照合結果通知装置（コンピュータシステム）
１１  ネットワーク
１２  端末装置
２１  受付管理部
２２  登録管理部
２３  送信管理部
２４  照合管理部
２５  データベース
２６  バス
【図１】
0004765516.tif 000002
【図２】
0004765516.tif 000003